(57)【要約】【課題】生地を枠体に容易に着脱可能としながら、生地押さえを小型化してコストを低減可能とした生地取付装置を提供する。【解決手段】生地１４の端部に該生地の幅方向に延びる生地押さえ１３を取着し、生地押さえ１３を枠体１１に取着して生地１４の端部を枠体に取着するブラインドの生地取付装置において、枠体１１の少なくとも一端部にキャップ１２を取着し、生地押さえ１３の両端部をキャップ１２に取着し、キャップ１２には生地押さえ１３とキャップ１２との係合を解除する解除手段２２を設けた。【選択図】図１
2010222790.tif 000002
【特許請求の範囲】
【請求項１】
日射遮蔽材を構成する生地の端部に該生地の幅方向に延びる生地押さえを取着し、前記生地押さえを枠体に係合させて前記生地の端部を前記枠体に取着するブラインドの生地取付装置において、
前記枠体の少なくとも一端部にキャップを取着し、前記生地押さえの少なくとも一端部を前記枠体の端部から突出させ、前記キャップには前記生地押さえと前記枠体との係合を解除する解除手段を設けたことを特徴とするブラインドの生地取付装置。
【請求項２】
前記解除手段は、前記枠体と生地押さえとの係合を解除する方向への操作力を前記生地押さえの一端部に付与可能とした係合解除用凹部としたことを特徴とする請求項１記載のブラインドの生地取付装置。
【請求項３】
前記枠体は、前記生地の上端部を取着する巻取軸とし、前記巻取軸の両端部に取着したキャップに前記解除手段を設けたことを特徴とする請求項１又は２記載のブラインドの生地取付装置。
【請求項４】
前記枠体は、前記生地の下端部を取着するウェイトバーとし、前記ウェイトバーの両端部に取着したキャップに前記解除手段を設けたことを特徴とする請求項１又は２記載のブラインドの生地取付装置。
【請求項５】
前記枠体は、前記生地の上端部を取着するヘッドボックスとし、前記ヘッドボックスの両端部に取着したキャップに前記解除手段を設けたことを特徴とする請求項１又は２記載のブラインドの生地取付装置。
【請求項６】
前記枠体及びキャップには、前記生地押さえを収容する凹部を設け、前記凹部には前記生地押さえを嵌合可能とした突条を設けたことを特徴とする請求項１乃至５のいずれか１項に記載のブラインドの生地取付装置。
【請求項７】
前記枠体及びキャップには、前記生地押さえを収容する凹部を設け、前記凹部に取着した生地押さえの表面を前記巻取軸の外周面の延長線上に位置させ、前記凹部の開口縁と前記生地押さえとの間には、前記巻取軸に巻き取られる生地に段差を生じさせない隙間を設けたことを特徴とする請求項３又は６記載のブラインドの生地取付装置。
【請求項８】
前記キャップの係合解除用凹部に対向する前記枠体の端面を、前記キャップで覆うことを特徴とする請求項２乃至７のいずれか１項に記載のブラインドの生地取付装置。
【請求項９】
前記生地押さえは、弾性を有する合成樹脂で成形し、前記枠体は形材で形成したことを特徴とする請求項１乃至８のいずれか１項に記載のブラインドの生地取付装置。
【請求項１０】
枠体の端部に取着され、前記枠体と生地押さえとの係合を解除するための指掛け凹部を備えたことを特徴とするキャップ。
【発明の詳細な説明】
【技術分野】
【０００１】
この発明は、ロールブラインドやプリーツカーテンの生地を枠体に着脱可能に取着する取付装置に関するものである。
【背景技術】
【０００２】
ロールブラインドは、取付面に回転可能に支持された巻取軸からスクリーンが吊下支持され、巻取軸の回転操作によりスクリーンを昇降させて採光量を適宜に調節可能としている。このようなロールブラインドではスクリーンを構成する生地の上端に生地押さえが縫製等により取着され、その生地押さえが巻取軸の外周面に設けた取付凹部に取着されている。
【０００３】
図１１は、ロールブラインドの従来の生地取付装置の一例を示す。スクリーンを構成する生地１の上端に合成樹脂で成形された生地押さえ２が取着され、その生地押さえ２が巻取軸３の取付凹部４に掛止めされている。
【０００４】
図１２に示すように、生地押さえ２には断面ひれ状の指掛け部５が形成され、図１３に示すように、スクリーンをすべて巻き戻した状態でその指掛け部５を引き起こすことにより、生地押さえ２を取付凹部４から取り外し可能となっている。
【０００５】
従って、生地１を巻取軸３から取り外し、さらに生地１の下端からウェイトバー６を取り外して、生地１を洗濯可能となっている。
また、巻取軸から生地押さえを取り外すために引き出し用シートを備えたロールスクリーン（特許文献１参照）や、係合蓋により固定溝を覆ってロールパイプの全周の外径を同一としたロールスクリーン（特許文献２参照）も提案されている。
【先行技術文献】
【特許文献】
【０００６】
【特許文献１】実用新案登録第２６０１２３９号
【特許文献２】特許第３４６６５７４号
【発明の概要】
【発明が解決しようとする課題】
【０００７】
図１１〜図１３に示すような生地取付装置では、生地押さえ２を巻取軸３から取り外すために生地押さえ２の全長に亘って大きな指掛け部５を設けているので、必要とする樹脂材料の量が増大する。従って、指掛け部５に最適な弾性を備えた高価な樹脂を使用すると、コストが上昇するという問題点がある。
【０００８】
この発明の目的は、生地を枠体に容易に着脱可能としながら、生地押さえを小型化してコストを低減可能とした生地取付装置を提供することにある。
【課題を解決するための手段】
【０００９】
請求項１では、日射遮蔽材を構成する生地の端部に、該生地の幅方向に延びる生地押さえを取着し、前記生地押さえを枠体に係合させて前記生地の端部を前記枠体に取着するブラインドの生地取付装置において、前記枠体の少なくとも一端部にキャップを取着し、前記生地押さえの少なくとも一端部を前記枠体の端部から突出させ、前記キャップには前記生地押さえと前記枠体との係合を解除する解除手段を設けた。
【００１０】
請求項２では、前記解除手段は、前記枠体と生地押さえとの係合を解除する方向への操作力を前記生地押さえの一端部に付与可能とした係合解除用凹部とした。
請求項３では、前記枠体は、前記生地の上端部を取着する巻取軸とし、前記巻取軸の両端部に取着したキャップに前記解除手段を設けた。
【００１１】
請求項４では、前記枠体は、前記生地の下端部を取着するウェイトバーとし、前記ウェイトバーの両端部に取着したキャップに前記解除手段を設けた。
請求項５では、前記枠体は、前記生地の上端部を取着するヘッドボックスとし、前記ヘッドボックスの両端部に取着したキャップに前記解除手段を設けた。
【００１２】
請求項６では、前記枠体及びキャップには、前記生地押さえを収容する凹部を設け、前記凹部には前記生地押さえを嵌合可能とした突条を設けた。
請求項７では、前記枠体及びキャップには、前記生地押さえを収容する凹部を設け、前記凹部に取着した生地押さえの表面を前記巻取軸の外周面の延長線上に位置させ、前記凹部の開口縁と前記生地押さえとの間には、前記巻取軸に巻き取られる生地に段差を生じさせない隙間を設けた。
【００１３】
請求項８では、前記キャップの係合解除用凹部に対向する前記枠体の端面を、前記キャップで覆う。
請求項９では、前記生地押さえは、弾性を有する合成樹脂で成形し、前記枠体は形材で形成した。
【００１４】
請求項１０では、枠体の端部に取着され、前記枠体と生地押さえとの係合を解除するための指掛け凹部を備えた。
【発明の効果】
【００１５】
本発明によれば、生地を枠体に容易に着脱可能としながら、生地押さえを小型化してコストを低減可能とした生地取付装置を提供することができる。
【図面の簡単な説明】
【００１６】
【図１】生地取付装置の第一の実施形態を示す斜視図である。
【図２】巻取軸及びキャップを示す斜視図である。
【図３】生地取付装置を示す断面図である。
【図４】生地取付装置を示す断面図である。
【図５】第二の実施形態を示す斜視図である。
【図６】第二の実施形態を示す斜視図である。
【図７】第二の実施形態を示す側面図である。
【図８】第三の実施形態を示す斜視図である。
【図９】第三の実施形態を示す斜視図である。
【図１０】別例を示す断面図である。
【図１１】従来例を示す側面図である。
【図１２】従来例を示す断面図である。
【図１３】従来例を示す断面図である。
【発明を実施するための形態】
【００１７】
（第一の実施形態）
図１〜図４は、この発明を具体化した第一の実施形態として、ロールブラインドの巻取軸にスクリーン（日射遮蔽材）を構成する生地の上端を取着する生地取付装置を示す。
【００１８】
図１に示すように、巻取軸（枠体）１１の両端にキャップ１２が取着され、その巻取軸１１及びキャップ１２に生地押さえ１３を介して生地１４の上端が取着されている。前記生地押さえ１３は前記キャップ１２を取着した巻取軸１１の全長とほぼ等しい長さに形成され、前記生地１４は前記生地押さえ１３の全長とほぼ等しい全幅で形成されている。
【００１９】
そして、キャップ１２に軸受け部材が嵌着され、その軸受け部材がフレームに支持されたサイドブラケット（図示しない）に回転可能に支持されて、巻取軸１１がサイドブラケット間で回転可能に支持される。
【００２０】
前記巻取軸１１はアルミの形材で円筒状に形成され、図２に示すように、その外周面上に取付凹部１５が形成されている。
図３に示すように、前記取付凹部１５の底面から係止突条１６が巻取軸１１の径方向に突出され、その係止突条１６の先端部に膨径部１７が形成されている。前記生地押さえ１３は弾性を有する合成樹脂で板状に成形され、その断面基端側に前記膨径部１７に嵌合する嵌合溝１８が形成されている。
【００２１】
前記取付凹部１５は、その一側に巻取軸１１の外周面を延長するように庇部１９が形成されている。前記生地押さえ１３の表面は、巻取軸１１の外周面に沿う円弧面に形成され、生地押さえ１３の断面先端側は前記庇部１９の下方に挿入可能とするように、屈曲されている。
【００２２】
そして、生地押さえ１３の断面先端側を庇部１９の下方に挿入した状態で、嵌合溝１８を係止突条１６の膨径部１７に嵌合すると、生地押さえ１３の表面は巻取軸１１の外周面の延長線上に位置する。
【００２３】
このように生地押さえ１３で生地１４の上端を巻取軸１１に取着するには、生地１４の上端で生地押さえ１３の断面先端側の裏面から表面に巻き回し、この状態で縫製等により生地１４を生地押さえ１３に取着する。
【００２４】
そして、生地押さえ１３の断面先端側を前記庇部１９の下方に挿入した状態で、生地押さえ１３の嵌合溝１８を係止突条１６の膨径部１７に嵌合すると、生地押さえ１３が取付凹部１５に固定される。
【００２５】
前記キャップ１２は、前記巻取軸１１の端面を覆うように取着され、その外周面には前記巻取軸１１の取付凹部１５及び係止突条１６に連なる凹部２０と突条２１が形成されている。そして、前記生地押さえ１３の長手方向両端部はキャップ１２の凹部２０及び突条２１に取着され、生地１４の全幅は生地押さえ１３の全長とほぼ等しい幅で形成される。
【００２６】
前記キャップ１２の外周面上には、図４に示すように、前記凹部２０に連なる指掛け凹部（解除手段、係合解除用凹部）２２が形成されている。この指掛け凹部２２により、生地押さえ１３が巻取軸１１及びキャップ１２に取着されている状態で、生地押さえ１３の両端部の断面基端側端部２３に指を掛けて、生地押さえ１３の端部をキャップ１２から容易に取り外し可能となっている。
【００２７】
また、前記キャップ１２には、前記指掛け凹部２２と前記巻取軸１１の端縁との間に隔壁２４が形成され、指掛け凹部２２内に巻取軸１１の端縁を露出させないようになっている。
【００２８】
このように構成された生地取付装置では、生地１４の上端を取着した生地押さえ１３を巻取軸１１の取付凹部１５及びキャップ１２の凹部２０に取着すると、生地１４が巻取軸１１から吊下支持される。そして、操作装置により巻取軸１１が生地１４の巻取り方向に回転されると、生地１４が巻取軸１１に巻き取られて上昇し、巻取軸１１が生地１４の巻戻し方向に回転されると、生地１４が巻取軸１１から巻戻されて下降する。
【００２９】
生地１４の巻取り動作時に、生地押さえ１３と取付凹部１５との開口部との隙間ｔ１，ｔ２が小さいので、巻取軸１１の巻き取られる生地１４に段差が生じない。従って、生地１４に巻取り痕が生成されない。
【００３０】
因みに、図１１及び図１２に示す従来例では、巻取軸３の外周面の延長線と取付凹部４に取着された生地押さえ２の表面との間に空間Ｓが発生するため、取付凹部４上に巻き取られる生地１は取付凹部４の開口縁上で段差が生じ、その段差により巻取り痕Ｘが発生する。そして、生地１を下限まで巻戻すと、巻取軸３の直下に位置する生地１４に縞状の巻取り痕があらわれてしまう。
【００３１】
しかし、この実施形態では生地押さえ１３の表面は巻取軸１１の外周面の延長線上に位置し、かつ取付凹部１５の開口縁と生地押さえ１３との隙間ｔ１，ｔ２が小さいので、上記のような巻取り痕は発生しない。
【００３２】
生地１４を巻取軸１１から取り外す場合には、図１に示すように巻取軸１１から生地１４を巻戻した状態で、キャップ１２の指掛け凹部２２に指を差し入れて生地押さえ１３の一端部を突条２１から外す。すると、生地押さえ１３を巻取軸１１の係止突条１６から同生地押さえ１３の他端側に向かって容易に取り外すことができる。
【００３３】
そして、生地１４の下端からボトムレールを取り外すと、生地１４を洗濯することが可能となる。
上記のように構成された生地取付装置では、次に示す作用効果を得ることができる。
（１）巻取軸１１の両端部に取着したキャップ１２の指掛け凹部２２に指を差し入れて、生地押さえ１３をその一端部から他端部に向かって巻取軸１１から容易に取り外すことができる。従って、生地１４の交換及び生地１４の洗濯を容易に行うことができる。
（２）キャップ１２に指掛け凹部２２を設けたので、生地押さえ１３に長い指掛け部を設ける必要はない。従って、生地押さえ１３の成形に要する樹脂材料を削減して、コストを低減することができる。また、巻取軸１１に指掛け凹部を設ける必要がないので、巻取軸１１の製造コストを低減することができる。
（３）巻取軸１１の端面がキャップ１２で覆われるので、巻取軸１１は形材を所要の長さに切断した後にその端面を表面処理する必要はない。従って、巻取軸１１を容易に形成することができる。また、隔壁２４により指掛け凹部２２内にも巻取軸１１の端面が露出されないので、生地押さえ１３の取り外し作業を安全に行うことができる。
（４）生地押さえ１３の両端部を巻取軸１１両端のキャップ１２に取着し、生地押さえ１３の長さと同一幅の生地１４を生地押さえ１３で巻取軸１１及びキャップ１２に取着したので、巻取軸１１に巻き取られる生地１４に巻ずれが生じても、巻取軸１１のアルミ地の表面が露出されにくい。従って、アルミ地の露出による美観の低下を防止することができる。
（５）生地押さえ１３と取付凹部１５の開口縁との隙間ｔ１，ｔ２を小さくしたので、生地１４での巻取り痕の発生を防止することができる。
（第二の実施形態）
図５〜図７は、第二の実施形態を示す。この実施形態は、ロールブラインドのボトムレールに生地の下端を取着する生地取付装置を示す。
【００３４】
図５に示すように、アルミの形材で形成されたウェイトバー３１には取付凹部３２が形成され、図６及び図７に示すように、その取付凹部３２内に設けられた係止突条３３に、生地１４の下端に取着された生地押さえ３４が取着されている。そして、ウェイトバー３１の重量により生地押さえ３４が取付凹部３２内に保持されて、生地１４の下端にウェイトバー３１が吊下支持されている。
【００３５】
前記ウェイトバー３１の両端部には合成樹脂で成形されたキャップ３５がそれぞれ取着され、そのキャップ３５にはウェイトバー３１に取着した状態で前記取付凹部３２及び係止突条３３に連なる凹部３６及び突条３７が形成されている。そして、前記生地押さえ３４の両端部はキャップ３５の突条３７に取着され、その生地押さえ３４の長さは前記生地１４の幅と同一に形成されている。
【００３６】
前記キャップ３５には、前記取付凹部３２に連なる指掛け凹部３８が形成されている。そして、指掛け凹部３８に指を差し入れて、生地押さえ３４を突条３７から取り外し可能となっている。
【００３７】
上記のように構成された生地取付装置では、次に示す作用効果を得ることができる。
（１）ウェイトバー３１の両端部に取着したキャップ３５の指掛け凹部３８に指を差し入れて、生地押さえ３４をその一端部から他端部に向かってウェイトバー３１から容易に取り外すことができる。従って、生地１４の交換及び生地１４の洗濯を容易に行うことができる。
（２）ウェイトバー３１の端面がキャップ３５で覆われるので、ウェイトバー３１は形材を所要の長さに切断することで容易に形成することができる。
（第三の実施形態）
図８及び図９は、第三の実施形態を示す。この実施形態は、プリーツカーテンの生地をヘッドボックスに取着する生地取付装置を示す。
【００３８】
生地４１の上端部は、合成樹脂で成形された生地押さえ４２に取着され、その生地押さえ４２がヘッドボックス４３の下面に設けられた取付凹部４４及びその取付凹部４４内に設けられた係止突条４５に取着されている。
【００３９】
前記ヘッドボックス４３の両端部には合成樹脂で成形されたキャップ４６がそれぞれ取着され、そのキャップ４６にはヘッドボックス４３に取着した状態で前記取付凹部４４及び係止突条４５に連なる凹部４７及び突条４８が形成されている。そして、前記生地押さえ４２の両端部はキャップの突条４８に取着され、その生地押さえ４２の長さは前記生地４１の幅と同一に形成されている。
【００４０】
前記キャップ４６には、前記取付凹部４４に連なる指掛け凹部４９が形成されている。そして、指掛け凹部４９に指を差し入れて、生地押さえ４２を突条４８から取り外し可能となっている。
【００４１】
上記のように構成された生地取付装置では、次に示す作用効果を得ることができる。
（１）ヘッドボックス４３の両端部に取着したキャップ４６の指掛け凹部４９に指を差し入れて、生地押さえ４２をその一端部から他端部に向かってヘッドボックス４３から容易に取り外すことができる。従って、生地１４の交換を容易に行うことができる。
（２）ヘッドボックス４３の端面がキャップ４６で覆われるので、ヘッドボックス４３は形材を所要の長さに切断することで容易に形成することができる。
【００４２】
上記実施形態は、以下の態様で実施してもよい。
・各実施形態において、指掛け凹部を備えたキャップを枠体の一端だけに取着してもよい。
・各実施形態において、係止突条のない取付凹部で生地押さえを保持するようにしてもよい。
・図１０に示すように、第一の実施形態において、キャップ１２には凹部２０及び指掛け凹部２２のみを設け、突条や庇部を設けない構成としてもよい。第二及び第三の実施形態においても、キャップ３５，４６には指掛け凹部３８，４９のみを設けるようにしてもよい。
【符号の説明】
【００４３】
１１…枠体（巻取軸）、１２，３５，４６…キャップ、１３，３４，４２…生地押さえ、１４，４１…日射遮蔽材（生地）、１５，３２，４４…取付凹部、１６，３３，４５…係止突条、２２，３８，４９…解除手段・係合解除用凹部（指掛け凹部）、３１…枠体（ウェイトバー）、４３…枠体（ヘッドボックス）。
【図１】
2010222790.tif 000003
【図２】
2010222790.tif 000004
【図３】
2010222790.tif 000005
【図４】
2010222790.tif 000006
【図５】
2010222790.tif 000007
【図６】
2010222790.tif 000008
【図７】
2010222790.tif 000009
【図８】
2010222790.tif 000010
【図９】
2010222790.tif 000011
【図１０】
2010222790.tif 000012
【図１１】
2010222790.tif 000013
【図１２】
2010222790.tif 000014
【図１３】
2010222790.tif 000015